(57)【要約】      （修正有）【課題】かさばらず、軽量で保温性に優れ、持ち運びが便利であり、かつ空気注入および排出が自由で、折り畳んで携帯することも可能な手提げ袋を提供する。【解決手段】上部に開口部を有する袋本体１と、袋本体１に取り付けられた手提げ紐４とを備え、袋本体１は、気密性の素材からなる表地と裏地を部分的な接着部６において接着して複数に小分割された空気室を形成し、接着部６に空気室間を相互に連通させる空気通り孔８を形成し、空気室８に空気を吹き込む空気吹込み口９を設けてなる空気室シート２により構成される。【選択図】図１
0003166757.tif 000002
【実用新案登録請求の範囲】
【請求項１】
上部に開口部を有する袋本体と、該袋本体に取り付けられた手提げ部とを備えた手提げ袋において、
前記袋本体は、気密性の素材からなる表地と裏地を部分的な接着部において接着して複数に小分割された空気室を形成し、前記接着部に前記空気室間を相互に連通させる空気通り孔を形成し、前記空気室に空気を吹き込む空気吹込み口を設けてなる空気室シートにより構成されたことを特徴とする手提げ袋。
【請求項２】
前記複数の空気室が所定数集合して独立した複数の空気室ブロックを形成し、各々の空気室ブロックに前記空気吹込み口を設けたことを特徴とする請求項１記載の空気室衣服。
【請求項３】
前記開口部に前記袋本体内部を密閉するシール手段を設けたことを特徴とする請求項１又は２記載の手提げ袋。
【考案の詳細な説明】
【技術分野】
【０００１】
本考案は、空気を吹き込むことにより全体を空気層とした空気室シートで構成した手提げ袋に関する。
【背景技術】
【０００２】
従来、保温性を有し、持ち運びが容易な保温袋として、エアマット状にシールされたシートを袋状に接合し、これに空気を封入した保温袋が提案されている（例えば特許文献１を参照）。
【先行技術文献】
【特許文献】
【０００３】
【特許文献１】特開平９−１２４０８１号公報
【考案の概要】
【考案が解決しようとする課題】
【０００４】
特許文献１に記載されている保温袋では、パイプ状の空気室が隙間なく並設されたエアマット状のシートで構成されたものであるため、全体としてかさばり、持ち運びに不便であるとともに、空気室の容積も大きくなるため、人の口で空気を吹き込んで膨らませることが難しいという問題があった。
【０００５】
本考案は、上記課題を解決したもので、かさばらず、軽量で保温性に優れ、持ち運びが便利であり、かつ空気注入および排出が自由で、折り畳んで携帯することも可能な手提げ袋を提供することを目的とする。
【課題を解決するための手段】
【０００６】
上記課題を解決するため、請求項１記載の手提げ袋は、上部に開口部を有する袋本体と、該袋本体に取り付けられた手提げ部とを備えた手提げ袋において、前記袋本体は、気密性の素材からなる表地と裏地を部分的な接着部において接着して複数に小分割された空気室を形成し、前記接着部に前記空気室間を相互に連通させる空気通り孔を形成し、前記空気室に空気を吹き込む空気吹込み口を設けてなる空気室シートにより構成されたことを特徴とするものである。
【０００７】
請求項２記載の手提げ袋は、請求項１記載の手提げ袋であって、前記複数の空気室が所定数集合して独立した複数の空気室ブロックを形成し、各々の空気室ブロックに前記空気吹込み口を設けたことを特徴とするものである。
【０００８】
請求項３記載の手提げ袋は、請求項１又は２記載の手提げ袋であって、前記開口部に前記袋本体内部を密閉するシール手段を設けたことを特徴とするものである。
【考案の効果】
【０００９】
本考案によれば、上記課題を解決したもので、かさばらず、軽量で保温性に優れ、持ち運びが便利であり、かつ空気注入および排出が自由で、折り畳んで携帯することも可能な手提げ袋が得られる。
【図面の簡単な説明】
【００１０】
【図１】本考案の手提げ袋の第１実施形態を示す正面図である。
【図２】本考案の手提げ袋の側面図である。
【図３】本考案の手提げ袋の平面図である。
【図４】空気室シートの部分拡大図である。
【図５】図４のＡ−Ａ線断面図である。
【図６】本考案の空気室衣服の第２実施形態を示す正面図である。
【考案を実施するための形態】
【００１１】
以下、本考案の一実施形態を図面に基づいて説明する。
図１は、本考案の手提げ袋の第１実施形態を示す正面図、図２は、側面図、図３は、平面図、図４は、空気室シートの部分拡大図、図５は、図４のＡ−Ａ線断面図である。
【００１２】
図１〜図３において、手提げ袋は、上部に開口部を有する袋本体１と、この袋本体１の上部に取り付けられた手提げ部４とを備えている。
【００１３】
図５に示すように、袋本体１は、ビニール、ナイロン等の気密性の素材で構成された表地１aと裏地１ｂとで構成された空気室シート２により、上部に開口部３を有する袋状に構成されている。図示の例では、表地１aは透明な素材で形成され、裏地１ｂは袋本体１に入れた品物が見えないように不透明な素材で形成されている。但し、両者ともに不透明素材あるいは透明素材で形成することも可能である。また、袋本体１は、図示のようなマチ付きのものでもよいし、マチなしのものでもよい。また、手提げ部は、図示のような下げテープでもよいし、袋本体１の上部に手提げ口を設けたものでもよい。
【００１４】
表地１aと裏地ｂは正方形状の接着部６において互いに接着されて、正方形状に小分割された空気室７が空気室シート２の全面に渉って形成されている。空気室７の角部、すなわち、接着部６が交差する交差部分には、空気室７を相互に連通させる空気通り孔８が形成されている。袋本体１の側面には、空気吹込み口９が設けられ、空気吹込み口９には栓１０が設けられている。袋本体１の前面には透明なポケット部１１が設けられている。
【００１５】
この手提げ袋は、使用時は空気吹込み口９から空気を吹き込むことにより、空気通り孔８を介して各空気室７に空気が入って図のように膨らみ、全体が空気層で覆われた空気入りの手提げ袋が構成される。空気吹き込みは、通常は人の口で息を吹き込むことで行うことができるが、エアポンプなどを利用することも可能である。
【００１６】
このような構成の手提げ袋は、袋本体１の上部の開口部３から所望の物品を袋本体１に入れ、手提げ部２を持って持ち運ぶことができる。袋本体１の全体が空気層で覆われているので、保温・保冷効果が大きく、かつ軽量であり、生鮮食料品などの収容袋として最適である。また、衝撃緩和効果もあるので、ガラス製品、陶器などの壊れやすい物品の収納にも好適である。さらにまた、不使用時は全体を押圧して空気吹込み口９より空気を抜くことにより、表地１aと裏地１ｂがくっ付き、薄い形状となるので、コンパクトに折りたたんで持ち運ぶことができる。
【００１７】
図６は、本考案の第２実施形態を示す。第１実施形態では、全空気室７が空気通り孔８により連通し、空気吹込み口９を１箇所にのみ設けている。この構成の場合、１つの空気室７に穴あき、破れ等が生じるとそこから全ての空気室７の空気が洩れてしまい、空気室手提げ袋の機能を果たさなくなるおそれがある。そこで、第２実施形態では、所定数の空気室をまとめて独立した空気室ブロックとして構成し、各々の空気室ブロックに空気吹込み口を設けた構成としている。図示の例では、鎖線で示す横方向の接着部１２により、独立した２個の空気室ブロックA、Bとし、各々に空気吹込み口９A、９Bおよび栓１０を設けている。図示の例では、上下方向の２つの空気室ブロックA、Ｂとした例であるが、空気室ブロックの個数や分割方法は任意であり、図示のものは単なる例示である。
【００１８】
第２実施形態では、独立した空気室ブロックを構成し、各々に空気吹込み口を設けているので、ある空気室が破損して空気が洩れても、その空気室がある空気室ブロック以外には影響を及ぼすことがないので、空気洩れの影響を最小限にとどめることができる。
【００１９】
必要に応じて、開口部３に面ファスナーあるいはスライドファスナーを設けることにより、開口部３を密閉構造とし、保温・保冷効果をさらに高めることも可能である。
【符号の説明】
【００２０】
１    袋本体
１a    表地
１ｂ    裏地
２    空気室シート
３    開口部
４    手提げ部
６    接着部
７    空気室
８    空気通り孔
９    空気吹込み口
A、Ｂ  空気室ブロック
【図１】
0003166757.tif 000003
【図２】
0003166757.tif 000004
【図３】
0003166757.tif 000005
【図４】
0003166757.tif 000006
【図５】
0003166757.tif 000007
【図６】
0003166757.tif 000008
【手続補正書】
【提出日】平成23年1月18日(2011.1.18)
【手続補正１】
【補正対象書類名】実用新案登録請求の範囲
【補正対象項目名】請求項２
【補正方法】変更
【補正の内容】
【請求項２】
前記複数の空気室が所定数集合して独立した複数の空気室ブロックを形成し、各々の空気室ブロックに前記空気吹込み口を設けたことを特徴とする請求項１記載の手提げ袋。